(57)【要約】【課題】約３５０ｍｌ〜約５００ｍｌの缶容器等に充填され、冷却又は加温された飲料を、飲用時において可及的長時間、保冷、保温するため，簡単な構造で使い勝手がよく、軽量でかさ高とならない、携行至便、製作コストが安価な飲料容器保冷、保温用巻装具を提供する。【解決手段】巻装具Ｓは、断熱シート体１と接合部材２から構成され、断熱シート体１は、発泡樹脂シート１ａにアルミ箔１ｂを蒸着してなり、飲料容量が異なる約３５０ｍｌ〜約５００ｍｌである２種類以上の容器外周面に、１周以上巻着可能な矩形状の大きさに裁断され、長手方向一端部１１には、切欠部１ｄを形成するための略半円状切取線１ｃを刻設すると共に、短手方向下方部の一側端１３から他側端１４には、切取線１ｅを刻設している。【選択図】図１
0003132559.tif 000002
【実用新案登録請求の範囲】
【請求項１】
冷却又は加温された容器内飲料を飲用時に容器周面に水平状に巻着して使用する巻装具であって、
該巻装具は、発泡樹脂シートにアルミ箔を蒸着した断熱シート体と、
前記断熱シート体の短手方向の一側端又は他側端に設けられる接合部材とからなり、
前記断熱シート体は、飲料の充填容量が異なる約３５０ｍｌ〜約５００ｍｌである２種類以上の容器外周面に、少なくとも１周以上巻着可能な矩形状の大きさに裁断され、
前記断熱シート体の長手方向一端部には、切欠部を形成するための略半円状又は半楕円状の切取線を刻設すると共に、
前記断熱シート体の短手方向下方部の一側端から他側端には、長手方向他端部と平行な切取線を刻設したことを特徴とする、飲料容器保冷、保温用巻装具。
【請求項２】
冷却又は加温された容器内飲料を飲用時に容器周面に水平状に巻着して使用する巻装具であって、
該巻装具は、発泡樹脂シートにアルミ箔を蒸着した断熱シート体と、
前記断熱シート体の短手方向の一側端又は他側端に設けられる接合部材とからなり、
前記断熱シート体は、飲料の充填容量が約３５０ｍｌの容器周面に少なくとも１周以上に巻着可能な矩形状の大きさに裁断され、
前記断熱シート体長手方向一端部には、切欠部を形成するための略半円状又は半楕円状の切取線を刻設したことを特徴とする、飲料容器保冷、保温用巻装具。
【請求項３】
冷却又は加温された容器内飲料を飲用時に容器周面に水平状に巻着して使用する巻装具であって、
該巻装具は、発泡樹脂シートにアルミ箔を蒸着した断熱シート体と、
前記断熱シート体の短手方向の一側端又は他側端に設けられる接合部材とからなり、
前記断熱シート体は、飲料の充填容量が約５００ｍｌの容器周面に少なくとも１周以上に巻着可能な矩形状の大きさに裁断され、
前記断熱シート体長手方向一端部には、切欠部を形成するための略半円状又は半楕円状の切取線を刻設したことを特徴とする、飲料容器保冷、保温用巻装具。
【請求項４】
前記断熱シート体の長手方向一端部から他端部には等間隔とした複数本の折り線を形成したことを特徴とする、請求項１〜請求項３の何れかに記載の飲料容器保冷、保温用巻装具。
【請求項５】
前記接合部材が剥離・再接着可能な感圧性接着剤又は面状ファスナーであることを特徴とする、請求項１〜請求項３の何れかに記載の飲料容器保冷、保温用巻装具。
【請求項６】
前記断熱シート体の表面には、広告、宣伝用の文字、図形又は絵柄が表示されていることを特徴とする、請求項１〜請求項４の何れかに記載の飲料容器保冷、保温用巻装具。
【考案の詳細な説明】
【技術分野】
【０００１】
本考案は、主に約３５０ｍｌ〜約５００ｍｌの缶容器、瓶容器又はペットボトル等に充填され、冷却又は加温されたアルコール飲料、お茶等各種飲料を可及的に保冷、保温することを目的とした飲料容器保冷、保温用巻装具に関する。
【背景技術】
【０００２】
近年、アルコール飲料、お茶、コーヒー等を含む各種飲料は、その種類も増大し、自動販売機やコンビニエンスストア等において多量に販売されている。容器の容量、形状等も需要者の嗜好性に合うように多種多様となっている。自動販売機やコンビニエンスストア等で販売される飲料容器を素材別に分類すれば、主に缶容器、瓶容器又はペットボトル等に大別され、またその容量は、約１８０ｍｌ〜２０００ｍｌまである。容量が約１８０ｍｌ〜約５００ｍｌの各種飲料は、一般的には、気分転換、くつろぎ又は水分補給等を目的とし、屋内又は野外等において容器の胴部を片手で把持して飲用される。
【０００３】
約１８０ｍｌ〜２５０ｍｌの各種飲料は、比較的短時間で飲み干すことができるが、約３５０ｍｌ〜約５００ｍｌの容器内飲料を飲み干す時間は、個人差はあるものの、飲料を気分良く味わうためには、少なくとも約７、８〜１０分の時間を要する。冷却又は加温されたアルコール飲料、お茶等の飲料温度が変化するとその風味は落ちるために、可及的に保冷、保温することが望まれる。特に飲料容器の周面温度と外気温との温度差が著しいとき、例えば、外気温が３０℃を越える夏季等に自動販売機等で約１２〜１５℃に冷却された缶ビール等を購入し、これを飲もうとすれば、外気温と把持する手の体温により、缶内ビールの液温は急速に上昇し、生温くなり、美味しさが半減する。また逆に外気温が１０℃以下の冬季等において約９０℃以上に加温されたお茶等を自動販売機等で購入したとき、素手で掴み得ないことがあり、温度が少し下がるのを待って容器の上部等を僅かに摘んで飲むか、手袋又は持ち合わせのハンカチ等で容器を被包して飲んでいる。また容器の周面温度と外気温との温度差が著しいために、外気温が容器に伝わり、加温した飲料温度が急激に冷めることにより飲料の味覚は損なわれるだけでなく、慌ただしく飲むので飲み心地も良くないという欠点がある。
【０００４】
上記の欠点や不具合を解消するために、いくつかの方策が提案されている。例えば、実開昭６１−１６１２７９「缶ビール保冷バンド」（特許文献１）が開示されている。特許文献１は、所要寸法の長方形に裁断された２枚のニット生地を重ね、その間に伸縮性を有する柔軟な適宜の断熱材を全面的に挟み、四辺の縁を縫合してバンド素体の両端縁を互いに接合縫合して、円筒状に形成したことを特徴としている。
【０００５】
また、特開平７−２１５３７５「断熱袋」（特許文献２）は、袋状部と折り曲げカバー部よりなり、袋状部は、複数の積層構造よりなる前面シートおよび後面シートよりなり、その内部には、一対の断熱材が挿入自在とされる。前面シートの上部には、ペットボトルの口部を取出すための切れ目が形成されていることを特徴としている。
【０００６】
さらに、保温、保冷を目的とした、「飲料入り容器収納携帯用断熱袋」として、 特開２００５−８８９９０（特許文献３）が提案されている。特許文献３は、熱可塑性プラスチックシート製有底筒状外袋と調湿性エラストマーシート製筒状有底内袋からなる断熱袋であって、調湿性エラストマーシートが、粒状シリカゲル層と該シリカゲル層の両側に積層された透湿性を有するエラストマーシート層と該エラストマーシート層の両外表面に積層された透湿性カバーシートよりなる積層シートであることを特徴としている。
【特許文献１】実開昭６１−１６１２７９号公報
【特許文献２】特開平７−２１５３７５号公報
【特許文献３】特開２００５−８８９９０号公報
【考案の開示】
【考案が解決しようとする課題】
【０００７】
しかしながら、特許文献１は、２枚のニット生地を重ね、その間に伸縮性を有するウレタンフォームのような柔軟な断熱材を配設した構成であるため、保冷効果は満たされないのみならず、長方形に裁断されたニット生地の四周縁を縫着する作業を要するため、コスト高となる欠点がある。
【０００８】
特許文献２は、アルミニウム膜を蒸着しているため、袋体形成は熱融着で行うことができず縫製が必要であり、袋体内面の断熱発泡ポリエチレンは接着によって固着させなければならないという作業効率の悪さが指摘される。
【０００９】
さらに、特許文献３は、熱可塑性プラスチックシート製有底筒状外袋と調湿性エラストマーシート製筒状有底内袋からなり、容器を収納して携行時の保温、保冷の利便性はあるものの、内容物の飲用時は、保冷、保温効果は期待できない。
【００１０】
本考案が解決しようとする課題は、主に約３５０ｍｌ〜約５００ｍｌの缶容器、瓶容器又はペットボトル等に充填され、冷却又は加温された飲料を、飲用時において可及的長時間、保冷、保温するために、簡単な構造で使い勝手がよく、軽量でかさ高とならない、携行至便で、製作コストが安価な飲料容器保冷、保温用巻装具を提供することにある。
【課題を解決するための手段】
【００１１】
本考案者は、上記従来技術が有する各種の問題点に鑑み、鋭意検討を重ね、特に容量が約３５０ｍｌ〜約５００ｍｌの各種容器において、その周面寸法は略同寸であり、容量差は容器の高さ等で調整していることに着目し、課題を解決するための本考案を完成したものである。課題を解決するための手段は、本願、実用新案登録請求の範囲の各請求項に記載の考案であり、その具体的な解決手段は、以下の通りである。
【００１２】
課題を解決するための第１の考案は、請求項１に記載の考案であり、 冷却又は加温された容器内飲料を飲用時に容器周面に水平状に巻着して使用する巻装具であって、該巻装具は、発泡樹脂シートにアルミ箔を蒸着した断熱シート体と、前記断熱シート体の短手方向の一側端又は他側端に設けられる接合部材とからなり、前記断熱シート体は、飲料の充填容量が異なる約３５０ｍｌ〜約５００ｍｌである２種類以上の容器外周面に、少なくとも１周以上巻着可能な矩形状の大きさに裁断され、前記断熱シート体の長手方向一端部には、切欠部を形成するための略半円状又は半楕円状の切取線を刻設すると共に、前記断熱シート体の短手方向下方部の一側端から他側端には、長手方向他端部と平行な切取線を刻設したことを特徴としている。
【００１３】
課題を解決するための第２の考案は、請求項２に記載の考案であり、冷却又は加温された容器内飲料を飲用時に容器周面に水平状に巻着して使用する巻装具であって、該巻装具は、発泡樹脂シートにアルミ箔を蒸着した断熱シート体と、前記断熱シート体の短手方向の一側端又は他側端に設けられる接合部材とからなり、前記断熱シート体は、飲料の充填容量が約３５０ｍｌの容器周面に少なくとも１周以上に巻着可能な矩形状の大きさに裁断され、前記断熱シート体長手方向一端部には、切欠部を形成するための略半円状又は半楕円状の切取線を刻設したことを特徴としている。
【００１４】
課題を解決するための第３の考案は、請求項３に記載の考案であり、冷却又は加温された容器内飲料を飲用時に容器周面に水平状に巻着して使用する巻装具であって、該巻装具は、発泡樹脂シートにアルミ箔を蒸着した断熱シート体と、前記断熱シート体の短手方向の一側端又は他側端に設けられる接合部材とからなり、前記断熱シート体は、飲料の充填容量が約５００ｍｌの容器周面に少なくとも１周以上に巻着可能な矩形状の大きさに裁断され、前記断熱シート体長手方向一端部には、切欠部を形成するための略半円状又は半楕円状の切取線を刻設したことを特徴としている。
【００１５】
課題を解決するための第４の考案は、請求項４に記載の考案であり、前記断熱シート体の長手方向一端部から他端部には等間隔とした複数本の折り線を形成したことを特徴としている。
【００１６】
課題を解決するための第５の考案は、請求項５に記載の考案であり、前記接合部材が剥離・再接着可能な感圧性接着剤又は面状ファスナーであることを特徴としている。
【００１７】
課題を解決するための第６の考案は、請求項６に記載の考案であり、前記断熱シート体の表面には、広告、宣伝用の文字、図形又は絵柄が表示されていることを特徴としている。
【考案の効果】
【００１８】
本考案に係る、飲料容器保冷、保温用巻装具は、上記の構成になるから以下の効果を奏する。即ち、第１の考案によれば、飲料容器保冷、保温用巻装具を構成するのは、発泡樹脂シートにアルミ箔を蒸着した断熱シート体と該断熱シート体の両端部を接合する接合部材であり、断熱シート体は、飲料の充填容量が異なる約３５０ｍｌ〜約５００ｍｌの２種類以上の容器に巻着可能な矩形状の大きさに裁断され、また缶容器の飲み口に対応する切欠部を形成するための切取線と、約３５０ｍｌ容器用の切取線を刻設している。これにより、容量が約３５０ｍｌ〜約５００ｍｌの缶容器、瓶容器又はペットボトル等の何れの容器にも適合し、簡単な構造で可及的長時間保冷、保温すると共に、使い勝手がよく、軽量でかさ高とならない、携行に至便で、製作コストが安価な、飲料容器保冷、保温用巻装具の提供という、本考案の課題を解決することができた。
【００１９】
第２の考案によれば、発泡樹脂シートにアルミニウム材を蒸着した断熱材からなる断熱シート体は、容量が約３５０ｍｌの各種容器に巻着可能な矩形状の大きさに裁断され、断熱シート体長手方向の上端部には、缶容器における飲み口用の略半円状又は半楕円状の切取線を刻設すると共に、前記断熱シート体、短手方向の一側端又は他側端には、両端部を接合する接合部材を設けているので、容量が約３５０ｍｌの缶容器、瓶容器又はペットボトル等に巻着して保冷、保温効果を奏する。
【００２０】
第３の考案によれば、発泡樹脂シートにアルミニウム材を蒸着した断熱材からなる断熱シート体は、容量が約５００ｍｌの各種容器に巻着可能な矩形状の大きさに裁断され、断熱シート体長手方向の上端部には、缶容器における飲み口用の略半円状又は半楕円状の切取線を刻設すると共に、前記断熱シート体短手方向の一側端又は他側端には、両端部を接合する接合部材を設けているので、容量が約５００ｍｌの缶容器、瓶容器又はペットボトル等に巻着して保冷、保温効果を奏する。
【００２１】
第４の考案によれば、断熱シート体の断熱シート体の長手方向一端部から他端部には等間隔とした複数本の折り線を形成しているので、各種容器、特に容器胴部の横断面形状が四角形の容器に巻着することが容易である。
【００２２】
第５の考案によれば、接合部材が剥離・再接着可能な感圧性接着剤又は面状ファスナーであるから、本考案に係る、飲料容器保冷、保温用巻装具は繰り返し使用でき、省資源となり、かつ経済的である。
【００２３】
第６の考案によれば、断熱シート体の表面には、広告、宣伝用の文字、図形又は絵柄が表示されているので、容器内の飲料の広告、宣伝の他、企業のＰＲ、各種イベントの宣伝、各種商品又は役務等の販促商品としても活用することができる。
【考案を実施するための最良の形態】
【００２４】
以下、本考案に係る、飲料容器保冷、保温用巻装具（以下、巻装具Ｓという）の好適な実施形態について図面を参照しながら説明する。図１は、巻装具Ｓの内面側の一部省略平面図、図２は、巻装具Ｓを約５００ｍｌの缶容器に巻着した使用状態の斜視図、図３は、巻装具Ｓを約３５０ｍｌのペットボトルに巻着した使用状態の斜視図、図４は、巻装具Ｓの表面側の一部省略平面図、図５は、接合部材の他の実施態様を示す内面側の一部省略平面図である。
【００２５】
巻装具Ｓは、断熱シート体１と接合部材２を主な構成部材としている。断熱シート体１は、熱伝導が低率の発泡樹脂シート１ａ、例えば発泡ポリエチレンシートに光や熱を反射する特性を有するアルミ箔１ｂを蒸着してなり、本願考案者は、最適な断熱シート体１として、ミラマット（商標登録名＝（株）ジェイエスピー社製）を採用した。ミラマットは、厚さ約１〜２ｍｍの発泡ポリエチレンシートに約１２μのアルミ箔を蒸着してなる。
【００２６】
断熱シート体１は、図１に示すように、矩形状に裁断され、長手方向の寸法Ｌを約２４５〜２５５ｍｍ、好ましくは約２５０ｍｍとし、短手方向の寸法Ｈ２は、約１４７〜１５３ｍｍ、好ましくは約１５０ｍｍとしている。この寸法Ｌは、約３５０ｍｌ〜約５００ｍｌの缶容器、瓶容器又はペットボトルの周面寸法約１９０ｍｍ〜約２１５ｍｍを巻着することが可能な長さとしている。寸法Ｈ２は、約５００ｍｌの缶容器Ｃ、瓶容器又はペットボトルの上周縁部Ｃ１及び下周縁部Ｃ２を除いて巻着することが可能な長さとしている（図、２参照）。Ｈ１は、約３５０ｍｌの缶容器、瓶容器又はペットボトルの高さに対応するように設定されている。断熱シート体１の長手方向一端部１１には直径約５０ｍｍ〜約６０ｍｍの切取線１ｃが刻設され、断熱シート体１を缶容器Ｃに巻着して使用するに際し、図２に示すように、缶容器Ｃにおける飲み口Ｃ３に対応し、切取線１ｃを指先等で切離して切欠部１ｄを形成してから断熱シート体１は、缶容器Ｃの周面に巻着される。図３に示すように、ペットボトルＰや瓶容器においては、切取線１ｃを切離しないで断熱シート体１は巻着される。１３は断熱シート体１の短手方向一端部、１４は短手方向他端部で、切取線１ｅは、短手方向一端１３から短手方向他端部１４に向けて長手方向他端部１２と平行して刻設されている。断熱シート体１における、切取線１ｅは、約３５０ｍｌの缶容器Ｃ、瓶容器又はペットボトルＰに使用するときに切離され、その残片１ｆは、例えば約１８０〜２００ｍｌの熱く加温されたコーヒー缶等に巻着して使用することができ、省資源とすることができる。断熱シート体１の長手方向他端部１２と長手方向一端部１１間には、等間隔とした複数本の折り線１１ａが形成され、断熱シート体１の容器周面への巻着を容易としている。
【００２７】
接合部材２は、例えば、水分散性アクリル系粘着材等の剥離・再接着可能な感圧性接着剤２ａとこれを被覆する剥離紙２ｂからなり、断熱シート体１の一側端１ｈに設けられている。剥離紙２ｂは、断熱シート体１を上記の各種容器に巻着するときに剥離され、断熱シート体１の他側端１ｉに貼着され、飲料を飲み終えた後、感圧性接着剤２ａは他側端１ｉから剥離され、再使用することができる。
【００２８】
図２は、断熱シート体１を容量約５００ｍｌ（周面寸法、約２１５ｍｍ）の缶容器Ｃの周面に巻着した状態を示し、使用に際しては、切取線１ｃを切り離して切欠部１ｄを形成し、缶容器Ｃの飲み口Ｃ３の周面下方位置に当接して断熱シート体１を強く巻着し、感圧性接着剤２ａを断熱シート体１の外表面他側端１ｉに押圧して固定する。
【００２９】
図３は、断熱シート体１を容量約３５０ｍｌ（周面寸法、約２１５ｍｍ）の横断面が略四角形のペットボトルＰの周面に巻着した状態を示し、使用に際しては、切取線１ｅで下方部１ｆ（残片）を切り離してから周面に巻着し、感圧性接着剤２ａを断熱シート体１の外表面他側端１ｉに押圧して固定し、キャップＰａを開口してボトル内飲料を飲用する。なお、ガラス製瓶容器の小瓶ビールには容量３３０ｍｌ（輸入ビール）〜３４４ｍｌ（国産ビール）があり、その周面寸法は約１９５ｍｍ〜約２００ｍｍ、高さ寸法は約１３０ｍｍ〜約１３５ｍｍとなっているので、容量約３５０ｍｌ又は５００ｍｌ用どちらかの巻装具Ｓを使用することが可能である。
【００３０】
図４は、巻装具Ｓの表面側の平面図で、断熱シート体１の表面側アルミ箔１ｂに広告、宣伝用の文字１ｊを表示した例を示している。例えば、ビールメーカーが新商品の小瓶ビールの○○○ビールを宣伝したいとき、巻装具Ｓのアルミ箔１ｂ（表面側）に、「この一杯明日の元気のもとになる」又は「新発売！○○○ビール」等のように表示してＰＲ活動することができ、また容器内の飲料と無関係の企業ＰＲ、各種イベントの宣伝等として、さらに各種商品又は役務等の販促商品としても活用することができる。
【００３１】
図５は、接合部材２の他の実施態様を例示するもので、断熱シート体１の発泡樹脂シート１ａ（内面側）左側端には、面状ファスナーの雄部材２ｃ、２ｄ、２ｅを複数配設すると共に、該雄部材２ｃ、２ｄ、２ｅに対応するように、アルミ箔１ｂ（表面側）の右側端には、雌部材２ｆ、２ｈ、２ｉを複数配設している。約５００ｍｌの各種容器に使用するときは、容器周面に断熱シート体１を巻着し、雄部材２ｃを雌部材２ｆ、雄部材２ｄを雌部材２ｈ、雄部材２ｅを雌部材２ｉにそれぞれ押圧、係止して容器内の飲料を飲用する。また約３５０ｍｌの各種容器に使用するときは、まず切取線１ｅで、下方部分を切り離した後、容器周面に断熱シート体１を巻着し、雄部材２ｃを雌部材２ｆに、雄部材２ｄを雌部材２ｈにそれぞれ押圧、係止して容器内の飲料を飲用する。
【産業上の利用可能性】
【００３２】
本考案に係る、飲料容器保冷、保温用巻装具は、容量が約３５０ｍｌ〜約５００ｍｌの缶容器、瓶容器又はペットボトル等の何れの容器にも適合し、簡単な構造で可及的長時間保冷、保温すると共に、使い勝手がよく、軽量でかさ高とならない、携行に至便で、製作コストが安価にできるのので、顕著な需要が見込める。
【図面の簡単な説明】
【００３３】
【図１】本考案に係る、巻装具Ｓの内面側の一部省略平面図である。
【図２】約５００ｍｌの缶容器に巻着した使用状態の斜視図である。
【図３】約３５０ｍｌのペットボトルに巻着した使用状態の斜視図である。
【図４】巻装具Ｓの表面側の一部省略平面図である。
【図５】接合部材の他の実施態様を示す内面側の一部省略平面図である。
【符号の説明】
【００３４】
Ｓ                  巻装具
１                  断熱シート体
１ａ                発泡樹脂シート
１ｂ                アルミ箔
１ｃ                切取線
１ｄ                切欠部
１ｅ                切取線
１１                長手方向一端部
１２                長手方向他端部
１１ａ              折り線
１３                短手方向一端部
１４                短手方向他端部
２                  接合部材
２ａ                感圧性接着剤
２ｂ                剥離紙
【図１】
0003132559.tif 000003
【図２】
0003132559.tif 000004
【図３】
0003132559.tif 000005
【図４】
0003132559.tif 000006
【図５】
0003132559.tif 000007